(57)【要約】【課題】原稿に形成された画像を読み込んで生成された画像情報を多様な用途に使用する。【解決手段】画像形成装置１００は、画像生成部５０１、配置部５０３、及び形成部５０５を備える。画像生成部５０１は、原稿Ｒに形成された画像を読み込んで第１画像情報を生成する。配置部５０３は、第１画像情報に対応する第１画像Ｐ１と、第１画像Ｐ１に関連する付加情報を示す第２画像Ｐ２とを対応付けて所定領域内に配置する。形成部５０５は、配置部５０３が配置した第１画像Ｐ１及び第２画像Ｐ２を用紙Ｐに形成する。「所定領域」は、用紙Ｐ１のうち画像を形成する領域を示す。【選択図】図２
2018186447.tif 000002
【特許請求の範囲】
【請求項１】
原稿に形成された画像を読み込んで第１画像情報を生成する画像生成部と、
前記第１画像情報に対応する第１画像と、前記第１画像に関連する付加情報を示す第２画像とを対応付けて所定領域内に配置する配置部と、
前記配置部が配置した前記第１画像及び前記第２画像を記録媒体に形成する形成部と
を備え、
前記所定領域は、前記記録媒体のうち画像を形成する領域を示す、画像形成装置。
【請求項２】
前記第１画像は、名刺を示す画像であり、
前記付加情報は、前記名刺によって示される人物に関連する情報を示す、請求項１に記載の画像形成装置。
【請求項３】
前記第１画像は、名刺を示す画像であり、
前記第１画像は、特定情報に対応する画像と、前記特定情報に対応しない画像とを含み、
前記第１画像から前記特定情報に対応する画像を消去する消去部を更に備え、
前記形成部は、前記第１画像として前記特定情報に対応しない画像を前記記録媒体に形成し、
前記付加情報は、前記特定情報を示す、請求項１に記載の画像形成装置。
【請求項４】
前記特定情報は、氏名情報、会社名情報、部署名情報、及び役職名情報のうち少なくとも１つを含む、請求項３に記載の画像形成装置。
【請求項５】
前記形成部は、前記第１画像の濃度より薄い濃度で前記第２画像を前記記録媒体に形成する、請求項３又は請求項４に記載の画像形成装置。
【請求項６】
前記配置部は、折り線を示す第３画像を前記所定領域内に配置し、
前記形成部は、前記配置部が配置した前記第３画像を前記記録媒体に形成し、
前記折り線は、前記記録媒体を折る位置を示し、
前記配置部は、前記折り線に沿って前記記録媒体が折られたときに前記第２画像が隠れるように前記第３画像を配置する、請求項３から請求項５のいずれか１項に記載の画像形成装置。
【請求項７】
前記配置部は、前記第１画像と前記第２画像とを第１方向に沿って前記所定領域内に配置し、
前記折り線は、谷折りを示す第１折り線を含み、
前記第１折り線は、前記第２画像の前記第１方向の中央位置を通過し、前記第１方向と直交する第２方向に延びる、請求項６に記載の画像形成装置。
【請求項８】
前記折り線は、山折りを示す第２折り線を含み、
前記第２折り線は、前記第２画像の前記第１方向の両端部の少なくとも一方の外側に配置され、第２方向に延びる、請求項７に記載の画像形成装置。
【請求項９】
前記配置部は、ユーザーが前記特定情報を推定して記入する回答欄を示す第４画像を前記第１画像に対応付けて前記所定領域内に配置し、
前記形成部は、前記配置部が配置した前記第４画像を前記記録媒体に形成する、請求項３から請求項８のいずれか１項に記載の画像形成装置。
【発明の詳細な説明】
【技術分野】
【０００１】
本発明は、画像形成装置に関する。
【背景技術】
【０００２】
特許文献１に記載の画像形成装置は、名刺の裏面に印刷画像があるか否かを示す識別ＩＤと、文字列が縦書きか横書きかを示す識別ＩＤと、会社名、及び氏名を示す識別ＩＤとを名刺画像に付与する。また、ユーザーからの指示に応じて、識別ＩＤに対応する名刺画像を抽出する。そして、抽出した名刺画像を配列して名刺一覧画像を生成し、名刺一覧画像を用紙に形成する。
【先行技術文献】
【特許文献】
【０００３】
【特許文献１】特開２０１１−２４５６８８号公報
【発明の概要】
【発明が解決しようとする課題】
【０００４】
しかしながら、特許文献１に記載の画像形成装置では、名刺画像が配列されて用紙に形成されるに止まり、用途が名刺管理だけに限られていた。
【０００５】
本発明は、上記課題に鑑みてなされたものであり、原稿に形成された画像を読み込んで生成された画像情報を多様な用途に使用可能な画像処理装置、及び画像形成装置を提供することを目的としている。
【課題を解決するための手段】
【０００６】
本発明の画像形成装置は、画像生成部、配置部、及び形成部を備える。前記画像生成部は、原稿に形成された画像を読み込んで第１画像情報を生成する。前記配置部は、前記第１画像情報に対応する第１画像と、前記第１画像に関連する付加情報を示す第２画像とを対応付けて所定領域内に配置する。前記形成部は、前記配置部が配置した前記第１画像及び前記第２画像を記録媒体に形成する。前記所定領域は、前記記録媒体のうち画像を形成する領域を示す。
【発明の効果】
【０００７】
本発明の画像形成装置によれば、原稿に形成された画像を読み込んで生成された画像情報を多様な用途に使用できる。
【図面の簡単な説明】
【０００８】
【図１】本発明の実施形態に係る画像形成装置の構成を示す図である。
【図２】本発明の実施形態に係る制御部の構成を示す図である。
【図３】第１画像及び第２画像の一例を示す図である。
【図４】第１画像及び第２画像の図３とは別の一例と、第３画像及び第４画像の一例を示す図である。
【図５】第１画像、第２画像、第３画像、及び第４画像の図４とは別の一例を示す図である。
【図６】第１画像、第２画像、第３画像、及び第４画像の図４及び図５とは別の一例を示す図である。
【図７】制御部の処理を示すフローチャートである。
【発明を実施するための形態】
【０００９】
以下、本発明の実施形態について、図面（図１〜図７）を参照しながら説明する。なお、図中、同一又は相当部分については同一の参照符号を付して説明を繰り返さない。
【００１０】
まず、図１を参照して、本発明の実施形態に係る画像形成装置１００の構成について説明する。図１は、画像形成装置１００の構成を示す図である。図１に示すように、画像形成装置１００は複合機である。画像形成装置１００は、画像形成ユニット１、画像読取ユニット２、原稿搬送ユニット３、操作表示部４、及び制御部５を備える。
【００１１】
画像形成ユニット１は、記録媒体の一例である用紙Ｐに画像を形成する。画像読取ユニット２は、原稿Ｒに形成された画像を読み取る。原稿搬送ユニット３は、原稿Ｒを画像読取ユニット２に供給する。操作表示部４は、ユーザーからの操作を受け付けると共に、種々の情報を表示する。制御部５は、画像形成装置１００の動作を制御する。
【００１２】
また、画像形成ユニット１は、給送カセット１１及び画像形成部１３を備える。給送カセット１１から繰り出された用紙Ｐは、画像形成部１３まで搬送される。画像形成部１３は、用紙Ｐに画像を形成する。画像が形成された用紙Ｐは、用紙Ｐに形成された画像が用紙Ｐに定着された後、排出される。
【００１３】
操作表示部４は、タッチパネル４１を備える。タッチパネル４１は、例えば、ＬＣＤ（Ｌｉｑｕｉｄ  Ｃｒｙｓｔａｌ  Ｄｉｓｐｌａｙ）を備え、種々の画像を表示する。タッチパネル４１は、タッチセンサーを更に備え、ユーザーの操作を受け付ける。
【００１４】
制御部５は、プロセッサー５Ａ、及び記憶部５Ｂを備える。プロセッサー５Ａは、例えばＣＰＵ（Ｃｅｎｔｒａｌ  Ｐｒｏｃｅｓｓｉｎｇ  Ｕｎｉｔ）を備える。記憶部５Ｂは、半導体メモリーのようなメモリーを備え、ＨＤＤ（Ｈａｒｄ  Ｄｉｓｋ  Ｄｒｉｖｅ）を備えてもよい。記憶部５Ｂは、制御プログラムを記憶している。プロセッサー５Ａは、制御プログラムを実行することによって各種機能部として機能する。
【００１５】
次に、図１〜図２を参照して、本発明の実施形態に係る制御部５の構成について説明する。図２は、制御部５の構成を示す図である。図２に示すように、制御部５は、画像生成部５０１、消去部５０２、配置部５０３、表示制御部５０４及び形成部５０５を備える。具体的には、プロセッサー５Ａが、制御プログラムを実行することによって、画像生成部５０１、消去部５０２、配置部５０３、表示制御部５０４及び形成部５０５として機能する。
【００１６】
画像生成部５０１は、画像読取ユニット２を介して原稿Ｒに形成された画像を読み込んで第１画像情報を生成する。原稿Ｒは、例えば、名刺である。
【００１７】
消去部５０２は、第１画像Ｐ１から第１画像Ｐ１に含まれる特定情報に対応する画像Ｐ１１を消去する。第１画像Ｐ１は、第１画像情報に対応する画像を示す。特定情報は、例えば、氏名情報を示す。画像Ｐ１１は、氏名に対応する画像を示す。
【００１８】
配置部５０３は、第１画像Ｐ１と第２画像Ｐ２とを対応付けて所定領域内に配置する。第２画像Ｐ２は、第１画像Ｐ１に関連する付加情報を示す。所定領域は、用紙Ｐのうち画像を形成する領域を示す。用紙Ｐのうち画像を形成する領域を、以下の説明において、「画像形成領域」と記載する場合がある。
【００１９】
表示制御部５０４は、配置部５０３が配置した第１画像Ｐ１及び第２画像Ｐ２のプレビュー画像をタッチパネル４１に表示する。
【００２０】
形成部５０５は、配置部５０３が配置した第１画像Ｐ１及び第２画像Ｐ２を、画像形成ユニット１を介して用紙Ｐに形成する。
【００２１】
以上、図１及び図２を参照して説明したように、本発明の実施形態によれば、原稿Ｒに形成された画像を読み込んで第１画像情報を画像生成部５０１が生成する。そして、第１画像情報に対応する第１画像Ｐ１と、第１画像Ｐ１に関連する付加情報を示す第２画像Ｐ２とを対応付けて所定領域内に配置部５０３が配置する。更に、形成部５０５が、第１画像Ｐ１及び第２画像Ｐ２を用紙Ｐに形成する。したがって、第２画像Ｐ２が第１画像Ｐ１と対応付けて印刷されるため、多様な用途に使用できる。
【００２２】
次に、図１〜図３を参照して、配置部５０３の処理について具体的に説明する。図３は、第１画像Ｐ１及び第２画像Ｐ２の一例を示す図である。図３に示すように、画像形成領域６００には、名刺画像６０１、名刺画像６０２、関連画像６１１、関連画像６１２、区切り線画像ＬＡ１、及び区切り線画像ＬＡ２が配置されている。
【００２３】
画像形成領域６００は、用紙Ｐの画像を形成する領域を示す。画像形成領域６００は、「所定領域」に相当する。配置部５０３は、名刺画像６０１と関連画像６１１とを対応付けて画像形成領域６００に配置し、名刺画像６０２と関連画像６１２とを対応付けて画像形成領域６００に配置する。
【００２４】
名刺画像６０１及び名刺画像６０２は、「第１画像Ｐ１」の一例に相当する。また、名刺画像６０１及び名刺画像６０２は、名刺を示す画像である。名刺画像６０１は、会社名として「ＡＢＣ株式会社」という文字画像と、役職名として「部長」という文字画像と、氏名として「ＡＢＣ  ＤＥＦ」という文字画像を含む。更に、名刺画像６０１は、会社の所在地を示す郵便番号として「１２３−４５６７」という数字画像を含む。名刺画像６０２も、名刺画像６０１と同様に、会社名、役職名、氏名、及び郵便番号を示す画像を含む。
【００２５】
関連画像６１１及び関連画像６１２は、「第２画像Ｐ２」の一例に相当する。また、関連画像６１１は、名刺画像６０１に対応する名刺によって示される人物に関連する情報を示す。例えば、関連画像６１１は、名刺画像６０１に対応する名刺によって示される人物である「ＡＢＣ  ＤＥＦさん」の特徴を示す。具体的には、関連画像６１１は、「（１）趣味はテニス」という文字画像と、「（２）スポーツが好き」との文字画像とを含む。
【００２６】
関連画像６１２は、名刺画像６０２に対応する名刺によって示される人物に関連する情報を示す。例えば、関連画像６１２は、名刺画像６０１に対応する名刺によって示される人物である「ＧＨＩ  ＪＫＬさん」の特徴を示す。具体的には、関連画像６１２は、「（１）趣味はゲーム」という文字画像を含む。
【００２７】
区切り線画像ＬＡ１は、名刺画像６０１及び関連画像６１１と、名刺画像６０２及び関連画像６１２とを区切る線を示す。区切り線画像ＬＡ１は、名刺画像６０１及び関連画像６１１と、名刺画像６０２及び関連画像６１２との間に配置部５０３によって配置される。区切り線画像ＬＡ２は、名刺画像６０２及び関連画像６１２に対して、区切り線画像ＬＡ１と離間する側に配置部５０３によって配置される。
【００２８】
以上、図１〜図３を参照して説明したように、本発明の実施形態によれば、名刺を示す第１画像Ｐ１と、名刺によって示される人物に関連する情報を示す第２画像Ｐ２とを対応付けて用紙Ｐに形成するため、ユーザーによって有用な画像を形成できる。例えば、図３に示すように第２画像Ｐ２が第１画像Ｐ１の名刺によって示される人物の特徴を示す。第１画像Ｐ１の名刺によって示される人物がお客様である場合には、第２画像Ｐ２が第１画像Ｐ１に対応付けて形成された用紙Ｐを、お客様情報として利用することができる。
【００２９】
また、区切り線画像ＬＡ１及び区切り線画像ＬＡ２を用紙Ｐに形成するため、第１画像Ｐ１と第２画像Ｐ２とを容易に対応付けることができる。具体的には、名刺画像６０１と関連画像６１１とが対応し、名刺画像６０２と関連画像６１２とが対応することをユーザーが容易に視認できる。
【００３０】
本発明の実施形態では、第２画像Ｐ２が文字情報を示すが、本発明はこれに限定されない。第２画像Ｐ２が名刺によって示される人物に関連する情報を示せばよい。例えば、第２画像Ｐ２が、名刺によって示される人物に関連する画像である形態でもよい。具体的には、第２画像Ｐ２が、名刺によって示される人物を含む写真の画像である形態でもよい。
【００３１】
次に、図１、図２及び図４を参照して、消去部５０２、配置部５０３及び形成部５０５の処理について更に説明する。図４は、第１画像Ｐ１及び第２画像Ｐ２の図３とは別の一例と、第３画像Ｐ３及び第４画像Ｐ４の一例を示す図である。図４に示すように、画像形成領域７００には、名刺画像７０１、名刺画像７０２、回答欄画像７１１、回答欄画像７１２、答案画像７２１、答案画像７２２、区切り線画像ＬＡ１、区切り線画像ＬＡ２、区切り線画像ＬＢ及び折線画像Ｌ１が配置されている。
【００３２】
画像形成領域７００は、用紙Ｐの画像を形成する領域を示す。画像形成領域７００は、「所定領域」に相当する。配置部５０３は、名刺画像７０１と回答欄画像７１１と答案画像７２１とを対応付けて画像形成領域７００に配置し、名刺画像７０２と回答欄画像７１２と答案画像７２２とを対応付けて画像形成領域７００に配置する。
【００３３】
名刺画像７０１及び名刺画像７０２は、「第１画像Ｐ１」の一例に相当する。また、名刺画像７０１及び名刺画像７０２は、名刺を示す画像である。名刺画像７０１は、会社名として「ＡＢＣ株式会社」という文字画像と、役職名として「ＰＱ課長」という文字画像と、空白画像７０１ａとを含む。名刺画像７０２は、会社名として「ＡＢＣ株式会社」という文字画像と、役職名として「ＰＱ担当部長」という文字画像と、空白画像７０２ａとを含む。会社名を示す文字画像、及び役職名を示す文字画像は、「特定情報に対応しない画像」に相当する。
【００３４】
消去部５０２は、名刺画像７０１から氏名情報を示す文字画像を消去する。「氏名情報」は、「特定情報」の一例に相当する。その結果、名刺画像７０１は、空白であることを示す空白画像７０１ａを含む。また、消去部５０２は、名刺画像７０２から氏名を示す文字画像を消去する。その結果、名刺画像７０２は、空白であることを示す空白画像７０２ａを含む。氏名を示す文字画像は、「特定情報に対応する画像」に相当する。
【００３５】
回答欄画像７１１は、ユーザーが記入する回答欄を示す。ユーザーは、回答欄画像７１１に、名刺画像７０１に対応する氏名を推定して記入する。回答欄画像７１２は、ユーザーが記入する回答欄を示す。ユーザーは、回答欄画像７１２に、名刺画像７０２に対応する氏名を推定して記入する。回答欄画像７１１及び回答欄画像７１２は、「第４画像Ｐ４」の一例に相当する。本実施形態では、回答欄画像７１１及び回答欄画像７１２は、括弧を示す。
【００３６】
答案画像７２１及び答案画像７２２は、「第２画像Ｐ２」の一例に相当する。答案画像７２１は、「答え（ＡＡＡ  ＢＢＢ）」という文字画像を含み、空白画像７０１ａに入るべき「氏名」が「ＡＡＡ  ＢＢＢ」であることを示す。答案画像７２２は、「答え（ＣＣＣ  ＤＤＤ）」という文字画像を含み、空白画像７０２ａに入るべき「氏名」が「ＣＣＣ  ＤＤＤ」であることを示す。本実施形態では、第２画像Ｐ２が示す「付加情報」は、「氏名情報」である。
【００３７】
名刺画像７０１と、回答欄画像７１１と、答案画像７２１とは、配置部５０３によって第１方向Ｄ１に沿って配列される。名刺画像７０２と、回答欄画像７１２と、答案画像７２２とは、配置部５０３によって第１方向Ｄ１に沿って配列される。第１方向Ｄ１は、用紙Ｐの長手方向と直交する方向を示す。名刺画像７０１と、名刺画像７０２とは、配置部５０３によって第２方向Ｄ２に沿って配列される。回答欄画像７１１と、回答欄画像７１２とは、配置部５０３によって第２方向Ｄ２に沿って配列される。答案画像７２１と、答案画像７２２とは、配置部５０３によって第２方向Ｄ２に沿って配列される。第２方向Ｄ２は、用紙Ｐの長手方向を示す。
【００３８】
区切り線画像ＬＡ１は、名刺画像７０１、回答欄画像７１１及び答案画像７２１と、名刺画像７０２、回答欄画像７１２及び答案画像７２２とを区切る線を示す。区切り線画像ＬＡ１は、名刺画像７０１、回答欄画像７１１及び答案画像７２１と、名刺画像７０２、回答欄画像７１２及び答案画像７２２との間に配置部５０３によって配置される。区切り線画像ＬＡ２は、名刺画像７０２、回答欄画像７１２及び答案画像７２２に対して、区切り線画像ＬＡ１と離間する側に配置部５０３によって配置される。
【００３９】
画像形成領域７００は、領域ＲＡ、領域ＲＢ及び領域ＲＣに分割されている。領域ＲＡには、名刺画像７０１及び名刺画像７０２が配置部５０３によって配置される。領域ＲＢには、回答欄画像７１１及び回答欄画像７１２が配置部５０３によって配置される。領域ＲＣには、答案画像７２１及び答案画像７２２が配置部５０３によって配置される。区切り線画像ＬＢは、領域ＲＡと領域ＲＢとを区切る線を示す。
【００４０】
折線画像Ｌ１は、「第２折り線」を示す。「第２折り線」は、山折りする位置を示す。折線画像Ｌ１は、「第３画像Ｐ３」の一例に相当する。配置部５０３は、ユーザーが折線画像Ｌ１に沿って用紙Ｐを山折りしたときに、答案画像７２１及び答案画像７２２が隠れるように折線画像Ｌ１を配置する。本実施形態では、配置部５０３は、折線画像Ｌ１を、領域ＲＢと領域ＲＣとの境界位置に配置する。
【００４１】
形成部５０５は、名刺画像７０１、名刺画像７０２、回答欄画像７１１、回答欄画像７１２、答案画像７２１、答案画像７２２、区切り線画像ＬＡ１、区切り線画像ＬＡ２、区切り線画像ＬＢ及び折線画像Ｌ１を用紙Ｐに形成する。
【００４２】
以上、図１、図２、及び図４を参照して説明したように、特定情報に対応する画像を消去した第１画像Ｐ１が用紙Ｐに形成される。したがって、特定情報を当てるクイズの画像を用紙Ｐに形成できる。
【００４３】
また、特定情報が氏名情報であるため、氏名を当てるクイズの画像を用紙Ｐに形成できる。
【００４４】
更に、折り線を示す第３画像Ｐ３を用紙Ｐに形成する。配置部５０３は、折り線に沿って用紙Ｐが折られたときに第２画像Ｐ２が隠れるように第３画像Ｐ３を配置する。したがって、ユーザーが折り線に沿って用紙Ｐを折ることによって、クイズの回答を示す第２画像Ｐ２を隠すことができる。
【００４５】
また、回答欄を示す第４画像Ｐ４を用紙Ｐに形成する。したがって、ユーザーは、クイズの回答を回答欄に記入できる。
【００４６】
本発明の実施形態では、「特定情報」が氏名情報であるが、本発明はこれに限定されない。「特定情報」が、氏名情報、会社名情報、部署名情報、及び役職名情報のうち少なくとも１つを含めばよい。例えば、「特定情報」が会社名情報を含む形態でもよい。この形態では、会社名を当てるクイズの画像を用紙Ｐに形成できる。「特定情報」が部署名情報を含む形態でもよい。この形態では、部署名を当てるクイズの画像を用紙Ｐに形成できる。「特定情報」が役職名情報を含む形態でもよい。この形態では、役職名を当てるクイズの画像を用紙Ｐに形成できる。
【００４７】
次に、図１、図２、図４及び図５を参照して、配置部５０３及び形成部５０５の処理について更に説明する。図５は、第１画像Ｐ１、第２画像Ｐ２、第３画像Ｐ３、及び第４画像Ｐ４の図４とは別の一例を示す図である。図５では、配置部５０３が第１画像Ｐ１を縮小する点で、図４を参照して説明した配置部５０３と相違している。また、図５では、形成部５０５が、第１画像Ｐ１の濃度より薄い濃度で第２画像Ｐ２を用紙Ｐに形成する点で図４を参照して説明した形成部５０５と相違している。以下の説明では、主に図４と相違する点について説明する。
【００４８】
図５に示すように、画像形成領域７５０には、名刺画像７５１、名刺画像７５２、回答欄画像７６１、回答欄画像７６２、答案画像７７１、答案画像７７２、区切り線画像ＬＡ１、区切り線画像ＬＡ２、区切り線画像ＬＢ及び折線画像Ｌ１が配置されている。
【００４９】
名刺画像７５１Ｐ及び名刺画像７５２Ｐは、「第１画像Ｐ１」の一例に相当する。また、名刺画像７５１Ｐ及び名刺画像７５２Ｐは、画像生成部５０１によって生成された画像である。
【００５０】
名刺画像７５１Ｐの第１方向Ｄ１の長さは、領域ＲＡの第１方向Ｄ１の長さより大きい。よって、配置部５０３は、名刺画像７５１Ｐの第１方向Ｄ１の長さが、領域ＲＡの第１方向Ｄ１の長さより小さくなるように名刺画像７５１Ｐを縮小し、名刺画像７５１を生成する。そして、配置部５０３は、名刺画像７５１を領域ＲＡに配置する。
【００５１】
名刺画像７５２Ｐの第１方向Ｄ１の長さは、領域ＲＡの第１方向Ｄ１の長さより大きい。よって、配置部５０３は、名刺画像７５２Ｐの第１方向Ｄ１の長さが、領域ＲＡの第１方向Ｄ１の長さより小さくなるように名刺画像７５２Ｐを縮小する。名刺画像７５２Ｐの第２方向Ｄ２の長さは、回答欄画像７６２の第２方向Ｄ２の長さより大きく、且つ、答案画像７７２の第２方向Ｄ２の長さより大きい。よって、配置部５０３は、名刺画像７５２Ｐの第２方向Ｄ２の長さが、回答欄画像７６２の第２方向Ｄ２の長さ及び答案画像７７２の第２方向Ｄ２の長さと略同一となるように、名刺画像７５２Ｐを縮小する。すなわち、配置部５０３は、名刺画像７５２Ｐを第１方向Ｄ１及び第２方向Ｄ２に縮小して名刺画像７５１を生成する。そして、配置部５０３は、名刺画像７５１を領域ＲＡに配置する。
【００５２】
形成部５０５は、名刺画像７５１の濃度より薄い濃度で答案画像７７１を用紙Ｐに形成する。また、形成部５０５は、名刺画像７５２の濃度より薄い濃度で答案画像７７２を用紙Ｐに形成する。具体的には、形成部５０５は、名刺画像７５１及び名刺画像７５２を第１濃度で用紙Ｐに形成し、答案画像７７１及び答案画像７７２を第２濃度で用紙Ｐに形成する。第２濃度は、第１濃度より薄い。
【００５３】
以上、図１、図２、図４及び図５を参照して説明したように、本発明の実施形態では、第１画像Ｐ１の濃度より薄い濃度で第２画像Ｐ２を形成する。したがって、クイズの回答を示す第２画像Ｐ２が裏写りして見えることを抑制できる。
【００５４】
また、第１画像Ｐ１が所定のサイズより大きい場合に、配置部５０３は、第１画像Ｐ１を縮小した後、画像形成領域７５０に配置する。したがって、１枚の用紙Ｐに予め設定された個数の第１画像Ｐ１を配置できる。
【００５５】
本発明の実施形態では、配置部５０３が第１画像Ｐ１を縮小するが、本発明はこれに限定されない。配置部５０３が第１画像Ｐ１を拡大又は縮小する形態であればよい。例えば、第１画像Ｐ１が所定のサイズより小さい場合に、配置部５０３が第１画像Ｐ１を拡大して画像形成領域７５０に配置する形態でもよい。この形態では、ユーザーが第１画像Ｐ１に記載された文字を読み易くすることができる。
【００５６】
次に、図１、図２、及び図４〜図６を参照して、配置部５０３について更に説明する。図６は、第１画像Ｐ１、第２画像Ｐ２、第３画像Ｐ３、及び第４画像Ｐ４の図４及び図５とは別の一例を示す図である。図６において第１画像Ｐ１、第２画像Ｐ２、第３画像Ｐ３、及び第４画像Ｐ４が配置される位置は、それぞれ、図４及び図５において第１画像Ｐ１、第２画像Ｐ２、第３画像Ｐ３、及び第４画像Ｐ４が配置される位置と相違する。また、図６において第１画像Ｐ１が２つに分割されて配置される点で図４及び図５における第１画像Ｐ１と相違する。以下の説明では、主に図４及び図５と相違する点について説明する。
【００５７】
図６に示すように、画像形成領域８００には、名刺画像８０１、名刺画像８０２、回答欄画像８１１、答案画像８２１、答案画像８２２、区切り線画像ＬＡ１、区切り線画像ＬＡ２、折線画像Ｌ２、折線画像Ｌ３及び折線画像Ｌ４が配置されている。
【００５８】
画像形成領域８００は、領域ＲＤ、領域ＲＥ及び領域ＲＦに分割されている。領域ＲＤには、名刺画像８０１の一部、名刺画像８０２の一部、及び回答欄画像８１１が配列される。領域ＲＥには、答案画像８２１、答案画像８２２及び折線画像Ｌ３が配列される。領域ＲＦには、名刺画像８０１の他の一部、及び名刺画像８０２の他の一部が配列される。領域ＲＤと領域ＲＥとの境界には、折線画像Ｌ２が配置される。領域ＲＥと領域ＲＦとの境界には、折線画像Ｌ４が配置される。また、名刺画像８０１は、空白であることを示す空白画像８０１ａを含む。名刺画像８０２は、空白であることを示す空白画像８０２ａを含む。
【００５９】
配置部５０３は、名刺画像８０１の第１方向Ｄ１の中央位置を通過し、第２方向Ｄ２に沿った直線で名刺画像８０１を分割し、第１名刺画像８０１ｂと第２名刺画像８０１ｃとを生成する。その結果、空白画像８０１ａは、第１空白画像８０１ｄと第２空白画像８０１ｅとに分割される。配置部５０３は、名刺画像８０２の第１方向Ｄ１の中央位置を通過し、第２方向Ｄ２に沿った直線で名刺画像８０２を分割し、第１名刺画像８０２ｂと第２名刺画像８０２ｃとを生成する。その結果、空白画像８０２ａは、第１空白画像８０２ｄと第２空白画像８０２ｅとに分割される。
【００６０】
配置部５０３は、第１名刺画像８０１ｂと第１名刺画像８０２ｂとを領域ＲＤに配置し、第２名刺画像８０１ｃと第２名刺画像８０２ｃとを領域ＲＦに配置する。具体的には、第１名刺画像８０１ｂの第１方向Ｄ１の先端位置が、折線画像Ｌ２の位置に重なるように第１名刺画像８０１ｂを領域ＲＤに配置する。第１名刺画像８０２ｂの第１方向Ｄ１の先端位置が、折線画像Ｌ２の位置に重なるように第１名刺画像８０２ｂを領域ＲＤに配置する。また、第２名刺画像８０１ｃの第１方向Ｄ１の後端位置が、折線画像Ｌ４の位置に重なるように第２名刺画像８０１ｃを領域ＲＦに配置する。第２名刺画像８０２ｃの第１方向Ｄ１の後端位置が、折線画像Ｌ４の位置に重なるように第２名刺画像８０２ｃを領域ＲＦに配置する。
【００６１】
折線画像Ｌ２及び折線画像Ｌ４は、「第２折り線」を示す。「第２折り線」は、山折りする位置を示す。折線画像Ｌ３は、折線画像Ｌ２及び折線画像Ｌ４と平行に、折線画像Ｌ２から折線画像Ｌ３までの距離が折線画像Ｌ４から折線画像Ｌ３までの距離と同一になるように配置される。すなわち、折線画像Ｌ３は、領域ＲＥの第１方向Ｄ１の中央位置を通過し、第２方向Ｄ２に延びる直線の画像を示す。折線画像Ｌ３は、「第１折り線」を示す。「第１折り線」は、谷折りする位置を示す。また、折線画像Ｌ２、折線画像Ｌ３及び折線画像Ｌ４は、「第３画像Ｐ３」の一例に相当する。
【００６２】
区切り線画像ＬＡ１は、名刺画像８０１及び答案画像８２１と、名刺画像８０２及び答案画像８２２とを区切る線を示す。区切り線画像ＬＡ１は、名刺画像８０１及び答案画像８２１と、名刺画像８０２及び答案画像８２２との間に配置部５０３によって配置される。区切り線画像ＬＡ２は、名刺画像８０２及び答案画像８２２に対して、区切り線画像ＬＡ１と離間する側に配置部５０３によって配置される。
【００６３】
回答欄画像８１１は、区切り線画像ＬＡ２に対して、名刺画像８０２及び答案画像８２２と離間する側に配置される。回答欄画像８１１は、名刺画像８０１の氏名を推定して記入する回答欄と、名刺画像８０２の氏名を推定して記入する回答欄とを示す。
【００６４】
以上、図１、図２、及び図４〜図６を参照して説明したように、本発明の実施形態では、第１画像Ｐ１と第２画像Ｐ２とを第１方向Ｄ１に沿って配列する。折り線は、折線画像Ｌ３が示す「第１折り線」と、折線画像Ｌ３及び折線画像Ｌ４が示す「第２折り線」とを含む。「第１折り線」は、第２画像Ｐ２の第１方向Ｄ１の中央位置を通過し、第２方向Ｄ２に延びる直線であって、谷折りする位置を示す。「第２折り線」は、第２画像Ｐ２の第１方向Ｄ１の両端部の外側に配置され、第２方向Ｄ２に延びる直線であって、山折りする位置を示す。よって、ユーザーが「第１折り線」及び「第２折り線」に沿って用紙Ｐを折ることによって、クイズの回答を示す第２画像Ｐ２を確実に隠すことができる。
【００６５】
また、名刺画像８０１が、第１名刺画像８０１ｂと第２名刺画像８０１ｃとに分割されて配置される。また、第１名刺画像８０１ｂの第１方向Ｄ１の先端位置が折線画像Ｌ２の位置に重なるように第１名刺画像８０１ｂが配置される。第２名刺画像８０１ｃの第１方向Ｄ１の後端位置が折線画像Ｌ４の位置に重なるように第２名刺画像８０１ｃが配置される。よって、ユーザーが「第１折り線」及び「第２折り線」に沿って用紙Ｐを折ることによって、第１名刺画像８０１ｂの第１方向Ｄ１の先端と、第２名刺画像８０１ｃの第１方向Ｄ１の後端とが隣接した状態になる。したがって、名刺画像８０１を大きなサイズで用紙Ｐに形成できる。その結果、名刺画像８０１を見易く用紙Ｐに形成できる。名刺画像８０１と同様にして、名刺画像８０２を大きなサイズで用紙Ｐに形成できる。その結果、名刺画像８０２を見易く用紙Ｐに形成できる。
【００６６】
本発明の実施形態では、折り線が、「第１折り線」と「第２折り線」とを含むが、本発明はこれに限定されない。折り線が、「第１折り線」を含めばよい。例えば、折り線が、「第１折り線」から構成される形態でもよい。この形態では、図４及び図５に示すように第２画像Ｐ２が用紙Ｐの端部に配置される場合には、「第１折り線」に沿って用紙Ｐを谷折りすることによって、クイズの回答を示す第２画像Ｐ２を隠すことができる。
【００６７】
また、本発明の実施形態では、折り線が、１本の「第１折り線」と２本の「第２折り線」とを含むが、本発明はこれに限定されない。折り線が、１本の「第１折り線」と１本の「第２折り線」とから構成される形態でもよい。この形態では、図４及び図５に示すように第２画像Ｐ２が用紙Ｐの端部に配置される場合には、「第１折り線」に沿って用紙Ｐを谷折りし、「第２折り線」に沿って山折りすることによって、第２画像Ｐ２を確実に隠すことができる。「第２折り線」は、図４及び図５に示す折線画像Ｌ１に対応する。
【００６８】
次に、図１〜図７を参照して、制御部５の処理について説明する。図７は、制御部５の処理を示すフローチャートである。
図７に示すように、まず、ステップＳ１０１において、画像生成部５０１が、原稿Ｒに形成された画像を読み込んで、第１画像Ｐ１を示す画像情報を生成する。
次に、ステップＳ１０３において、消去部５０２がタッチパネル４１を介して、ユーザーから特定情報を受け付けたか否かの判定を行う。
特定情報を受け付けていないと消去部５０２が判定した場合（ステップＳ１０３でＮＯ）には、処理が待機状態になる。特定情報を受け付けたと消去部５０２が判定した場合（ステップＳ１０３でＹＥＳ）には、処理がステップＳ１０５に進む。
【００６９】
そして、ステップＳ１０５において、消去部５０２が、第１画像Ｐ１から特定情報に対応する画像Ｐ１１を消去する。特定情報は、例えば、氏名情報を示す。画像Ｐ１１は、氏名に対応する画像を示す。
次に、ステップＳ１０７において、配置部５０３が、用紙Ｐの画像形成領域に第１画像Ｐ１を配置する。
次に、ステップＳ１０９において、配置部５０３は付加情報を取得する。付加情報は、例えば、氏名情報を示す。
そして、ステップＳ１１１において、配置部５０３は第２画像Ｐ２を第１画像Ｐ１と対応付けて画像形成領域に配置する。第２画像Ｐ２は、第１画像Ｐ１に関連する付加情報を示す。
次に、ステップＳ１１３において、配置部５０３は第３画像Ｐ３を画像形成領域内に配置する。第３画像Ｐ３は、折り線を示す。
そして、ステップＳ１１５において、配置部５０３は第４画像Ｐ４を画像形成領域に配置する。第４画像Ｐ４は、回答欄を示す。回答欄には、ユーザーが特定情報を推定して記入する。
【００７０】
次に、ステップＳ１１７において、表示制御部５０４は、配置部５０３が配置した第１画像Ｐ１、第２画像Ｐ２、第３画像Ｐ３及び第４画像Ｐ４のプレビュー画像をタッチパネル４１に表示する。
次に、ステップＳ１１９において、形成部５０５が、タッチパネル４１を介して、ユーザーの操作を受け付け、受け付けた操作に基づいて、第１画像Ｐ１、第２画像Ｐ２、第３画像Ｐ３及び第４画像Ｐ４を用紙Ｐに形成するか否かを判定する。
第１画像Ｐ１、第２画像Ｐ２、第３画像Ｐ３及び第４画像Ｐ４を用紙Ｐに形成しないと形成部５０５が判定した場合（ステップＳ１１９でＮＯ）には、処理がステップＳ１０１に戻る。第１画像Ｐ１、第２画像Ｐ２、第３画像Ｐ３及び第４画像Ｐ４を用紙Ｐに形成すると形成部５０５が判定した場合（ステップＳ１１９でＹＥＳ）には、処理がステップＳ１２１に進む。
そして、ステップＳ１２１において、形成部５０５が第１画像Ｐ１、第２画像Ｐ２、第３画像Ｐ３及び第４画像Ｐ４を用紙Ｐに形成して、処理が終了する。
【００７１】
以上、図１〜図７を参照して説明したように、本発明の実施形態では、消去部５０２がタッチパネル４１を介して、ユーザーから特定情報を受け付けるため、ユーザーは所望する特定情報に決定できる。したがって、ユーザーは所望するクイズを生成できる。
【００７２】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（２））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００７３】
（１）図１〜図７を参照して説明したように、本実施形態では、第１画像Ｐ１が名刺を示す画像であるが、本発明はこれに限定されない。第１画像Ｐ１が原稿Ｒに形成された画像を読み込んで生成されればよい。例えば、第１画像Ｐ１が写真を示す形態でもよい。この形態では、例えば、写真の人物の氏名を当てるクイズを作成できる。また、例えば、第１画像Ｐ１が文章、詩、又は俳句を示す形態でもよい。この形態では、例えば、俳句の一部を当てるクイズを作成できる。
【００７４】
（２）図１〜図７を参照して説明したように、本実施形態では、所定領域が、用紙Ｐの画像形成領域を示すが、本発明はこれに限定されない。所定領域が用紙Ｐの画像形成領域の少なくとも一部の領域であれば良い。例えば、所定領域が画像形成領域の上半分の領域を示す形態でもよい。
【産業上の利用可能性】
【００７５】
本発明は、画像形成装置に関するものであり、産業上の利用可能性を有する。
【符号の説明】
【００７６】
１００    画像形成装置
１    画像形成ユニット
１３    画像形成部
２    画像読取ユニット
３    原稿搬送ユニット
４    操作表示部
４１    タッチパネル
５    制御部
５０１    画像生成部
５０２    消去部
５０３    配置部
５０４    表示制御部
５０５    形成部
Ｐ１    第１画像
Ｐ２    第２画像
Ｐ３    第３画像
Ｐ４    第４画像
【図１】
2018186447.tif 000003
【図２】
2018186447.tif 000004
【図３】
2018186447.tif 000005
【図４】
2018186447.tif 000006
【図５】
2018186447.tif 000007
【図６】
2018186447.tif 000008
【図７】
2018186447.tif 000009